(57)【要約】【課題】取り替え作業が安全かつ容易にでき，ハンドリング性の良い各種カートリッジおよび画像形成装置を提供すること。【解決手段】本発明のトナーホッパは，画像形成装置に取付けられて現像装置にトナーを補給するトナーホッパであって，取付時に上向きとなる箇所に設けられ，立った状態と寝た状態とに切り替え可能な第１取っ手部２２と，取付操作時および取り外し操作時における装置本体の奥行き方向の移動をガイドするガイドレールとを有し，第１取っ手部２２は，装置本体側の部材に，寝た状態では当接し，立った状態では当接しないロック部２２ｄと，ロック部２２ｄより奥行き方向の前方に位置し，装置本体側の部材に，立った状態では当接し，寝た状態では当接しないストッパー部２２ｂとを有する。【選択図】            図４
2006018064.tif 000002
【特許請求の範囲】
【請求項１】
画像形成装置に取付けられて現像装置にトナーを補給するトナーカートリッジにおいて，
取付時に上向きとなる箇所に設けられ，立った状態と寝た状態とに切り替え可能な取っ手と，
取付操作時および取り外し操作時における装置本体の奥行き方向の移動をガイドする脱着操作ガイド部材とを有し，
前記取っ手は，
装置本体側の部材に，寝た状態では当接し，立った状態では当接しない第１当接部と，
前記第１当接部より奥行き方向の前方に位置し，装置本体側の部材に，立った状態では当接し，寝た状態では当接しない第２当接部とを有することを特徴とするトナーカートリッジ。
【請求項２】
請求項１に記載するトナーカートリッジにおいて，前記取っ手は，
前記第２当接部より奥行き方向の前方に位置する手づかみ部を有することを特徴とするトナーカートリッジ。
【請求項３】
請求項１または請求項２に記載するトナーカートリッジにおいて，
奥行き方向の前面側に設けられた第２の取っ手を有することを特徴とするトナーカートリッジ。
【請求項４】
画像形成装置に取付けられて現像を行う現像カートリッジにおいて，
取付時に上向きとなる箇所に設けられ，立った状態と寝た状態とに切り替え可能な取っ手と，
取付操作時および取り外し操作時における装置本体の奥行き方向の移動をガイドする脱着操作ガイド部材とを有し，
前記取っ手は，
装置本体側の部材に，寝た状態では当接し，立った状態では当接しない第１当接部と，
前記第１当接部より奥行き方向の前方に位置し，装置本体側の部材に，立った状態では当接し，寝た状態では当接しない第２当接部とを有することを特徴とする現像カートリッジ。
【請求項５】
画像形成装置に取付けられて画像形成を行うプロセスカートリッジにおいて，
取付時に上向きとなる箇所に設けられ，立った状態と寝た状態とに切り替え可能な取っ手と，
取付操作時および取り外し操作時における装置本体の奥行き方向の移動をガイドする脱着操作ガイド部材とを有し，
前記取っ手は，
装置本体側の部材に，寝た状態では当接し，立った状態では当接しない第１当接部と，
前記第１当接部より奥行き方向の前方に位置し，装置本体側の部材に，立った状態では当接し，寝た状態では当接しない第２当接部とを有することを特徴とするプロセスカートリッジ。
【請求項６】
脱着可能なカートリッジを本体に取り付けて画像形成を行う画像形成装置において，
前記カートリッジは，
取付時に上向きとなる箇所に設けられ，立った状態と寝た状態とに切り替え可能な取っ手と，
取付操作時および取り外し操作時における奥行き方向の移動をガイドする脱着操作ガイド部材とを有し，
前記取っ手は，
前記本体側の部材に，寝た状態では当接し，立った状態では当接しない第１当接部と，
前記第１当接部より奥行き方向の前方に位置し，前記本体側の部材に，立った状態では当接し，寝た状態では当接しない第２当接部とを有し，
前記本体は，
前記脱着操作ガイド部材との協働により前記カートリッジの奥行き方向の移動をガイドする第２脱着操作ガイド部材と，
前記第１当接部が当接する第１被当接部と，
前記第２当接部が当接する第２被当接部とを有することを特徴とする画像形成装置。
【発明の詳細な説明】
【技術分野】
【０００１】
本発明は，プリンタ，複写機等の画像形成装置及びそれに用いる各種カートリッジ（トナーカートリッジ，現像カートリッジ，プロセスカートリッジ）に関する。さらに詳細には，トナーホッパ等を含んで画像形成装置に対して脱着可能な各種カートリッジとそのカートリッジが取り付けられる画像形成装置に関するものである。
【背景技術】
【０００２】
従来より，画像形成装置においては，トナーホッパ等を含んだ脱着可能なカートリッジを有するものが多い。このようなカートリッジとしては，トナーホッパのみを脱着可能にしたものや，トナーホッパと現像手段とを一体的にしたもの，さらに感光体等と一体化されたものなどがある。いずれにしても，このカートリッジ部分は消耗品であり，画像形成装置の使用によって減量や劣化が起きる。そのため，サービスパーソンやユーザによって，適宜交換されるものである。
【０００３】
カートリッジの脱着方法としては一般に，大きく分けて感光体軸に垂直方向に脱着するもの（例えば，特許文献１，特許文献２参照）と，感光体軸に平行方向に脱着するもの（例えば，特許文献３参照）とがある。そのうち，感光体軸に垂直方向に脱着するタイプでは，カートリッジの上面に設けられた取っ手を持って脱着するものが多い。また，感光体軸に平行方向に脱着するタイプでは，トレイに載せた状態で出し入れするものや，カートリッジを本体のガイドに直接係止させるもの等がある。いずれも，安全かつ確実に脱着できるように脱着のしやすさやカートリッジの持ち易さ等に各種の工夫がされている。例えば，この特許文献３に記載の画像形成装置では，カートリッジの天面と挿入方向後面とに取っ手を設けて，挿入時と引き出し時との操作性を良好にしている。また，本体のガイドレールにバネ部材が設けられ，カートリッジの２箇所に設けられた凹部に係合するようにされている。
【特許文献１】特開平８−３３９１４７号公報
【特許文献２】特開平９−４４０５８号公報
【特許文献３】特許第３３１１２５０号公報
【発明の開示】
【発明が解決しようとする課題】
【０００４】
しかしながら，前記した特許文献３に記載のカートリッジでは，ユーザがカートリッジの引き出し時に挿入方向後面の取っ手を勢いよく引いた場合，凹部とバネ部材との係合によっても停止せず，そのまま飛び出すおそれがある。その場合，カートリッジがユーザの足等の上に落下するおそれもあるという問題点があった。また，カートリッジの挿入時においても，安全で操作性の良いものが要望されていた。
【０００５】
本発明は，前記した従来の各種カートリッジが有する問題点を解決するためになされたものである。すなわちその課題とするところは，取り替え作業が安全かつ容易にでき，ハンドリング性の良い各種カートリッジおよび画像形成装置を提供することにある。
【課題を解決するための手段】
【０００６】
この課題の解決を目的としてなされた本発明のトナーカートリッジは，画像形成装置に取付けられて現像装置にトナーを補給するトナーカートリッジであって，取付時に上向きとなる箇所に設けられ，立った状態と寝た状態とに切り替え可能な取っ手と，取付操作時および取り外し操作時における装置本体の奥行き方向の移動をガイドする脱着操作ガイド部材とを有し，取っ手は，装置本体側の部材に，寝た状態では当接し，立った状態では当接しない第１当接部と，第１当接部より奥行き方向の前方に位置し，装置本体側の部材に，立った状態では当接し，寝た状態では当接しない第２当接部とを有するものである。
【０００７】
本発明のトナーカートリッジは，脱着操作ガイド部材によって，装置本体の奥行き方向への移動をガイドされるものであり，装置本体に対して軸方向に沿って脱着されるものである。ここで，この脱着操作ガイド部材としては，ガイドレールまたはガイドレールに係合される部材であることが好ましい。
【０００８】
また，本発明のトナーカートリッジによれば，取付時に上向きとなる箇所に取っ手が設けられているので，ユーザ等はこの取っ手を提げて挿入操作あるいは引き出し操作を行うことができる。挿入時には，取っ手を立った状態で提げ，本体の奥行き方向後方へ向かって移動させる。すると，第２当接部が当接するので，カートリッジは一旦停止される。そこで，取っ手を寝た状態に変更すれば第２当接部の当接が無くなり，さらに挿入することができる。一方引き出し時には，取っ手が寝た状態で引き出し，本体の奥行き方向前方へ向かって移動させる。すると，第１当接部が当接するので，カートリッジは一旦停止される。そこで，取っ手を立った状態に変更すれば第１当接部の当接が無くなり，さらに引き出すことができる。従って，取り替え作業が安全かつ容易にでき，ハンドリング性の良いトナーカートリッジとなっている。
【０００９】
ここで，第１当接部または第２当接部のいずれかが装置本体側の部材に当接する位置は，手を放してもカートリッジが移動あるいは脱落しない配置に決定されると良い。また，第１当接部が当接した状態のカートリッジの位置は，第２当接部が当接した状態のカートリッジの位置と同じかまたは奥行き方向のより前方となるように配置されていると良い。
【００１０】
さらに本発明では，取っ手は，第２当接部より奥行き方向の前方に位置する手づかみ部を有することが望ましい。
このようにすれば，第２当接部が当接するまで手づかみ部をつかんでカートリッジを挿入した場合でも，手を挟むおそれはない。この手づかみ部は，取っ手が立った状態では，カートリッジの上面から突出していると良い。
【００１１】
さらに本発明では，奥行き方向の前面側に設けられた第２の取っ手を有することが望ましい。
カートリッジが画像形成装置本体に完全に取り付けられた状態では，取付時に上向きとなる箇所は一般に内部に挿入されており，外部から取っ手に手をかけることはできない。一方，奥行き方向の前面は一般に，カートリッジが画像形成装置本体に完全に取り付けられた状態でも露出させることができる。本発明ではそこに第２の取っ手を有してるので，カートリッジを取り外すときには，第２の取っ手に手をかけて引き出すことができる。
【００１２】
また，本発明は，画像形成装置に取付けられて現像を行う現像カートリッジであって，取付時に上向きとなる箇所に設けられ，立った状態と寝た状態とに切り替え可能な取っ手と，取付操作時および取り外し操作時における装置本体の奥行き方向の移動をガイドする脱着操作ガイド部材とを有し，取っ手は，装置本体側の部材に，寝た状態では当接し，立った状態では当接しない第１当接部と，第１当接部より奥行き方向の前方に位置し，装置本体側の部材に，立った状態では当接し，寝た状態では当接しない第２当接部とを有する現像カートリッジにも及ぶ。
【００１３】
また，本発明は，画像形成装置に取付けられて画像形成を行うプロセスカートリッジであって，取付時に上向きとなる箇所に設けられ，立った状態と寝た状態とに切り替え可能な取っ手と，取付操作時および取り外し操作時における装置本体の奥行き方向の移動をガイドする脱着操作ガイド部材とを有し，取っ手は，装置本体側の部材に，寝た状態では当接し，立った状態では当接しない第１当接部と，第１当接部より奥行き方向の前方に位置し，装置本体側の部材に，立った状態では当接し，寝た状態では当接しない第２当接部とを有するプロセスカートリッジにも及ぶ。
【００１４】
また，本発明は，脱着可能なカートリッジを本体に取り付けて画像形成を行う画像形成装置であって，カートリッジは，取付時に上向きとなる箇所に設けられ，立った状態と寝た状態とに切り替え可能な取っ手と，取付操作時および取り外し操作時における奥行き方向の移動をガイドする脱着操作ガイド部材とを有し，取っ手は，本体側の部材に，寝た状態では当接し，立った状態では当接しない第１当接部と，第１当接部より奥行き方向の前方に位置し，本体側の部材に，立った状態では当接し，寝た状態では当接しない第２当接部とを有し，本体は，脱着操作ガイド部材との協働によりカートリッジの奥行き方向の移動をガイドする第２脱着操作ガイド部材と，第１当接部が当接する第１被当接部と，第２当接部が当接する第２被当接部とを有する画像形成装置にも及ぶ。
【００１５】
なお，この画像形成装置では，第１被当接部と第２被当接部とは同一の部材の裏表であっても良い。その場合は，第１当接部は，取っ手が寝た状態でカートリッジの上面から突出する部材であって，第２当接部は，取っ手が立った状態でカートリッジの上面から突出する部材であると良い。
【発明の効果】
【００１６】
本発明のトナーカートリッジ，現像カートリッジ，プロセスカートリッジおよび画像形成装置によれば，取り替え作業が安全かつ容易にでき，ハンドリング性の良い各種カートリッジおよび画像形成装置となっている。
【発明を実施するための最良の形態】
【００１７】
以下，本発明を具体化した最良の形態について，添付図面を参照しつつ詳細に説明する。本形態は，タンデム方式のカラープリンタに脱着可能に設けられたカートリッジに本発明を適用したものである。
【００１８】
本形態のカートリッジが取り付けられるカラープリンタ１は，図１に示すように，イエロー（Ｙ），マゼンタ（Ｍ），シアン（Ｃ），ブラック（Ｋ）の各色のプロセスユニット１０Ｙ，１０Ｍ，１０Ｃ，１０Ｋが転写ベルト３１に沿って並べられた，いわゆるタンデム方式のものである。カラープリンタ１は，各プロセスユニット１０Ｙ，１０Ｍ，１０Ｃ，１０Ｋに対応して，各色のトナーホッパ２０Ｙ，２０Ｍ，２０Ｃ，２０Ｋを有している。また，カラープリンタ１は，このほかに２次転写ローラ３２，ガイド部４０，給紙カセット５０，定着ユニット６０，排紙トレイ８１等を有している。以下の文中では，特に区別する必要のない場合には，ＹＭＣＫの添字を省略して表記する。
【００１９】
各プロセスユニット１０は，画像形成用の一般的なユニットであり，感光体ドラム，帯電装置，露光装置，現像装置，クリーニング装置等を有している。また，各トナーホッパ２０は，それぞれ対応するプロセスユニット１０に供給する各色のトナーを収容するものである。このカラープリンタ１では，各トナーホッパ２０がそれぞれカートリッジ化され，カラープリンタ１に対して脱着可能にされている。各トナーホッパ２０は，カラープリンタ１の本体に設けられたガイド部４０に係合して，感光体軸方向（図１中奥行き方向）に摺動可能にされている。
【００２０】
このカラープリンタ１の画像形成動作について簡単に説明する。カラープリンタ１では，画像形成指示された画像データに基づいて，各プロセスユニット１０によって，順次異なる色のトナー像が転写ベルト３１上に重ねて転写される。そして，重ねられたトナー像が，２次転写ローラ３２によって，給紙カセット５０から搬送されて来る記録紙に転写される。トナー像が転写された記録紙は，定着ユニット６０にて定着を受けて排紙トレイ８１に排出される。
【００２１】
次に，トナーホッパ２０について説明する。トナーホッパ２０は，図２と図３とに示すように，タンク部２１をその主要な構成要素とするものである。タンク部２１の上面には可倒式の第１取っ手部２２が，手前面には引き出し用の第２取っ手部２３が設けられている。また，タンク部２１の側面には本体のガイド部４０（図１参照）と係合するガイドレール２４が設けられている。そして，このトナーホッパ２０は，カラープリンタ１の本体前カバー４１に設けられた開口に対して挿入されることにより，このガイドレール２４をガイド部４０に係合させて所定の配置に取り付けられる。なお，これらの図ではトナーホッパ２０Ｙのみを示しているが，他色のものも同様の構成である。
【００２２】
トナーホッパ２０の第１取っ手部２２は，図４に示すように，手づかみ部２２ａ，ストッパー部２２ｂ，回転軸部２２ｃ，ロック部２２ｄを有している。手づかみ部２２ａは，ユーザ等がトナーホッパ２０をつり下げて把持する時に利用する持ち手である。ストッパー部２２ｂは，手づかみ部２２ａと同一面範囲内に設けられた階段状の部材であり，その先端部には略三角柱形状のロック部２２ｄが一体的に形成されている。ロック部２２ｄは，手づかみ部２２ａとの同一面範囲内から図４中手前側へ突出している。
【００２３】
なお，第１取っ手部２２の手づかみ部２２ａは，図２に示すように，トナーホッパ２０の軸方向にほぼ平行に配置されている。そして，図４と図２とに示すように，挿入方向奥側からロック部２２ｄ，ストッパー部２２ｂ，手づかみ部２２ａの順になるように配置されている。また，手づかみ部２２ａの両端部には，タンク部２１の上面にはめ込まれる回転軸部２２ｃが設けられている。第１取っ手部２２は，この回転軸部２２ｃを中心に回転されることによって，図３に示すように倒されると，トナーホッパ２０の上面とほぼ平行になる。また，回転軸部２２ｃの軸方向は，本体前カバー４１の面と交差する方向である。
【００２４】
一方，カラープリンタ１の本体前カバー４１には，図５に示すように，各トナーホッパ２０の挿入される開口の上部に，それぞれストッパーリブ４２を有している。これらは，それぞれのトナーホッパ２０を脱着する際に，その第１取っ手部２２と当接する位置に設けられた凸部であり，トナーホッパ２０はこれに当接することにより一旦停止されるようになっている。
【００２５】
次に，第１取っ手部２２と本体前カバー４１のストッパーリブ４２との位置関係を図６と図７を使用して説明する。これらの図では，本体前カバー４１はストッパーリブ４２周辺の部分のみを，トナーホッパ２０はその上面の一部分のみをそれぞれ示している。図６に示す第１取っ手部２２の直立状態では，ストッパー部２２ｂがストッパーリブ４２と当接し，ロック部２２ｄは当接しない。従って，この状態では，図６の位置より図中右方へトナーホッパ２０を移動させることはできないが，図中左方へは移動できる。一方，図７に示す第１取っ手部２２の倒れた状態では，ストッパー部２２ｂはストッパーリブ４２と当接していないが，ロック部２２ｄの図中左面が当接している。従って，この状態では，図７の位置より図中左方へトナーホッパ２０を移動させることはできないが，図中右方へは移動できる。
【００２６】
ここで，ロック部２２ｄがストッパー部２２ｂより図中右方に配置されていることから，図６に示すストッパー部２２ｂがストッパーリブ４２と当接している位置は，図７に示すロック部２２ｄがストッパーリブ４２と当接している位置と比較して，第１取っ手部２２が本体前カバー４１により近接した位置となっている。すなわちトナーホッパ２０がより奥まで挿入された状態である。従って，例えばトナーホッパ２０の挿入時には，図６の位置まで到達してから第１取っ手部２２を倒せば，図７の位置よりトナーホッパ２０が図中右方にあるので，さらに挿入することができる。逆に取りだし時には，図７の位置まで到達してから第１取っ手部２２を立てれば，図６の位置よりトナーホッパ２０が図中左方にあるので，さらに取り出すことができる。
【００２７】
なお，これらの停止位置では，トナーホッパ２０が左右いずれへも自然に移動あるいは落下しないで安定して停止できるように，トナーホッパ２０の重心位置等との関係で，第１取っ手部２２の配置が決定されている。また，図６の位置と図７の位置とは，トナーホッパ２０が本体に対してほぼ同じ配置となる位置であっても良い。
【００２８】
なお，第１取っ手部２２は，トナーホッパ２０の他の部分とは異なる色とすると良い。このようにすれば，開梱時や引き出し時に，第１取っ手部２２が倒れた状態であっても，色によってその部分が取っ手であることがすぐ分かる。また，第１取っ手部２２の色を，トナーホッパ２０のタンク部２１に収容されているトナーの色と一致させても良い。本体前カバー４１のストッパーリブ４２の近辺にも，それぞれ挿入されるトナーホッパ２０のトナーと同じ色を表示しておけば，挿入間違いを防止することもできる。
【００２９】
次に，このトナーホッパ２０を交換する手順について説明する。トナーホッパ２０は，収容されているトナーがカラープリンタ１の使用につれて減少することにより交換の必要が生じる。交換時には，まずカラープリンタ１の前面パネルを開放する。これにより，本体前カバー４１が露出され，トナーホッパ２０の手前面が見える状態となる。そこで，ユーザはトナーホッパ２０の手前面の第２取っ手部２３に指をかけて，手前に引くことができる。
【００３０】
このとき，挿入されているトナーホッパ２０は，第１取っ手部２２が倒れた状態にされているので，引き出されることにより図３に示すような状態となる。そして，図７の位置でロック部２２ｄがストッパーリブ４２に当接することにより，トナーホッパ２０はそれ以上引き出せない。従って，第２取っ手部２３に指をかけただけの状態で，トナーホッパ２０を勢いよく引っぱり出してしまうことはできない。これにより，勢い余ってトナーホッパ２０が飛び出したり，さらにはユーザの足などの上に落下したりするおそれはない。
【００３１】
さらに，この停止位置で，ユーザが第２取っ手部２３を放しても，トナーホッパ２０は落下することはなくその位置で停止する。そこで，ユーザはこの位置で一旦手を放し，第１取っ手部２２を起こす。すると，図６に示すように，ロック部２２ｄによるロックが外れ，さらに引き出すことができるようになる。そこで，ユーザは第１取っ手部２２を持ってさらに引き出すことにより，トナーホッパ２０を取り外すことができる。このときユーザは，第１取っ手部２２を把持している状態なので，トナーホッパ２０のガイドレール２４が本体のガイド部４０から外れても，トナーホッパ２０を落とすこと無く安全に取り出すことができる。これで，トナーホッパ２０の取り外し作業は終了である。
【００３２】
次に，トナーホッパ２０の取付作業について説明する。ユーザは梱包等から取り出したトナーホッパ２０の第１取っ手部２２を把持して，本体前カバー４１の開口にその先端部を挿入する。このとき，本体内のガイド部４０にトナーホッパ２０のガイドレール２４が係合するように挿入位置を調整する。図６の位置まで挿入すると，ストッパー部２２ｂがストッパーリブ４２と当接し，それ以上挿入できない。この位置で，第１取っ手部２２を放しても，トナーホッパ２０は落下することはなく停止する。従って，不安定な位置で手を放してトナーホッパ２０を落下させたりするおそれはない。また，ストッパー部２２ｂがあるので，第１取っ手部２２と本体前カバー４１との間に指を挟むことがない。
【００３３】
そこで，ユーザはこの位置で一旦手を放し，第１取っ手部２２を倒す。すると，図７に示すように，ストッパー部２２ｂとストッパーリブ４２とは当接しない状態となる。従って，さらに奥へ押し込むことが可能になる。そこで，第２取っ手部２３に指をかけて，トナーホッパ２０をさらに押し込み，所定の位置まで挿入することができる。これにより，容易にまた確実にトナーホッパ２０を取り付けることができる。そして，最後にカラープリンタ１の前面パネルを閉止する。これで，トナーホッパ２０の交換作業が終了する。
【００３４】
以上詳細に説明したように，このトナーホッパ２０を有するカラープリンタ１によれば，トナーホッパ２０が本体に安定して係止されている状態で持ち替えることができる。従って，トナーホッパ２０の交換作業が容易である。さらに，トナーホッパ２０が本体から離れるときには，第１取っ手２２を把持することによって提げ持つことができるので，安全でハンドリング性が良いものとなっている。従って，取り替え作業が安全かつ容易にでき，ハンドリング性の良いトナーホッパ２０となっている。
【００３５】
なお，本形態は単なる例示にすぎず，本発明を何ら限定するものではない。したがって本発明は当然に，その要旨を逸脱しない範囲内で種々の改良，変形が可能である。
例えば，ストッパー部２２ｂやロック部２２ｄの形状は一例であり，本体前カバー４１のストッパーリブ４２と適切に当接できるものであればよい。
また例えば，上記の形態では，トナーホッパ２０の側面にガイドレール２４を，本体にガイド部４０を設けているが，これらは逆でも良い。すなわち，本体にガイドレールを設け，カートリッジ側にそのレールに係合する部材を設けても良い。
また例えば，上記の形態では，トナーホッパ２０を単体でカートリッジ化しているが，現像装置を含む現像カートリッジや感光体ドラムをも含むイメージングカートリッジ等にも適用可能である。
【図面の簡単な説明】
【００３６】
【図１】本形態に係る画像形成装置の概略構成を示す断面図である。
【図２】トナーホッパを取り付ける様子を示す斜視図である。
【図３】トナーホッパを取り外す様子を示す斜視図である。
【図４】取っ手を示す斜視図である。
【図５】本体側カバーを示す正面図である。
【図６】取っ手と本体側カバーとの位置関係を示す断面図である。
【図７】取っ手と本体側カバーとの位置関係を示す断面図である。
【符号の説明】
【００３７】
１  カラープリンタ（画像形成装置）
２０  トナーホッパ（トナーカートリッジ）
２２  第１取っ手部（取っ手）
２２ａ  手づかみ部
２２ｂ  ストッパー部（第２当接部）
２２ｄ  ロック部（第１当接部）
２３  第２取っ手部（第２の取っ手）
２４  ガイドレール（脱着操作ガイド部材）
４０  ガイド部（第２脱着操作ガイド部材）
４２  ストッパーリブ（第１被当接部，第２被当接部）
【図１】
2006018064.tif 000003
【図２】
2006018064.tif 000004
【図３】
2006018064.tif 000005
【図４】
2006018064.tif 000006
【図５】
2006018064.tif 000007
【図６】
2006018064.tif 000008
【図７】
2006018064.tif 000009